Podtech/llm-jp-corpus-v4-ja_patent huggingface dataset:
(57)【要約】【課題】  小型で利便性がよく、発電能力に優れた太陽電池装置を提供する。【解決手段】  ２ないし５枚の太陽電池パネルを受光面を全て同じ向きにし、その内の１枚は筐体の最上部に置いて常に受光できるようにし、残りの太陽電池はスライドあるいは旋回することによって全ての太陽電池が受光できるようにする。【選択図】  図１
2007019444.tif 000002
【特許請求の範囲】
【請求項１】
２ないし５枚の太陽電池パネルが、各々の受光面を同じ向きにして１つの筺体内に収められた太陽電池装置において、筺体の最上部は１枚の太陽電池パネルとして常に受光できるようにし、残りの太陽電池パネルはスライドあるいは旋回して開くことによって全ての太陽電池パネルが受光できるようにしたことを特徴とする太陽電池装置。
【請求項２】
（請求項１）に記載の太陽電池装置において、各太陽電池パネル毎に逆流防止手段を設けて負荷に並列に電力を供給することを特徴とする太陽電池装置。
【発明の詳細な説明】
【技術分野】
【０００１】  本発明は、太陽電池の起電力を負荷に供給する電源装置に関し、特に太陽電池を用いた携帯用電源装置に関する。
【背景技術】
【０００２】  太陽電池はクリーンなエネルギー源として最近特に注目され、家庭用発電装置から電卓用電源まで広く用いられている。【０００３】  快晴時での太陽エネルギーは約１ｋＷ／ｍ２であり、シリコン単結晶太陽電池の変換効率は最大で約１５％である。従って、快晴時、シリコン単結晶太陽電池の起電力は１５０Ｗ／ｍ２であり、携帯用の太陽電池発電装置で太陽電池の面積を６０ｃｍ２とするとその出力電力は０．９Ｗである。【０００４】  従って、面積６０ｃｍ２のシリコン単結晶太陽電池パネル１枚で、例えば携帯電話器に用いられている３．７Ｖ、７３０ｍＡｈのリチウムイオン電池を充電しようとすると、充電時間は約４時間となる。【０００５】  上記数値例では太陽電池の効率を１５％としたが、一般に市販されている太陽電池の効率は約１０％で、６０ｃｍ２の太陽電池パネルで得られる有能電力は約６００ｍＷである。更に、定電流領域では効率が低下するのでリチウムイオン電池に流入する充電電流は１１０ｍＡ程度となり、実際にはリチウムイオン電池の充電に６時間以上を要する。【０００６】  充電時間をより短くするために、図４に示す構造の太陽電池式携帯電話器用充電器が市販されている。この充電器では２枚の太陽電池パネルを蝶番によって観音開きして太陽光を受光する。そして、太陽電池パネルによる発電エネルギーによって筐体内部にある二次電池を充電し、二次電池から携帯電話器の電池を充電している。【０００７】  この構造にすれば二次電池への充電時間は太陽電池パネル１枚の場合の半分となる。又、機構的に堅牢で、折り畳んだ状態では太陽電池パネルを傷つけない利点も有する。
【発明が解決しようとする課題】
【０００８】  しかし、一方において、折り畳んだ状態では二次電池を充電できない。折り畳んだ状態でも充電できれば歩行中でも手に持って充電することも、又、日の当たる机の上に何気なく置いても充電できる。
【０００９】  更に、もう一つの問題は、２枚の太陽電池パネルが電気的に直列に接続されている点にある。直列接続されているので１つの素子、通常はダイオード、で筐体内部の２次電池から太陽電池パネルへの電流が流れるのを防止でき、逆流防止手段が極めて簡単となるが、いずれか一方の太陽電池パネルが一部でも影になると太陽電池パネル全体の発電電力が著しく低下する。
【００１０】  本発明は、このような問題点を解決しようとしてなされたものであり、利便性がよく、影の影響が軽減できる太陽電池を用いた電源を提供することを目的としている。
【課題を解決するための手段】
【００１１】  本出願の請求項１に係る発明は、２ないし５枚の太陽電池パネルを太陽電池パネルの受光面を同じ向きとして１つの筐体内に収め、太陽電池パネルをスライドあるいは旋回することによって筐体から引き出し、全ての太陽電池パネルが受光できるようにすると共に、太陽電池パネルを筐体内に収めた状態でも最上部の太陽電池パネルは受光できるようにしたものであって、利便性に優れている。
【００１２】  また、請求項２に係る発明は、請求項１に記載の太陽電池装置において、各太陽電池パネル毎に逆流防止手段を設けて負荷に電力を供給するようにしたものである。これによって、例えば１つの太陽電池パネルが影になった場合、当該パネルからは発電出力が得られないが、他の太陽電池パネルの発電出力は何ら影響を受けない。
【発明を実施するための最良の形態】
【００１３】  図１は本発明の第１の実施例を示す構成図であって、太陽電池パネルは２枚としている。図は太陽電池パネル１２がスライドして太陽電池パネル１１と１２が両方共受光している状態を示している。スライドを戻して太陽電池パネルを収納した状態では太陽電池パネル１２だけが受光する。太陽電池パネル１２を筐体２の内部に収納する機構も可能で、その場合、収納した状態では太陽電池パネル１１だけが受光する。又、このスライド機構が太陽電池パネル５枚まで拡張できることは明らかである。【００１４】  図２は本発明の第２の実施例を示す構成図であって、第１の実施例と同じく、太陽電池パネルは２枚としている。図は太陽電池パネル１２が旋回して開き、太陽電池パネル１１と１２が両方共受光している状態を示している。太陽電池パネル１２が筐体２の中に収納された状態では太陽電池パネル１１だけが受光する。この旋回機構も太陽電池パネル５枚まで拡張できることは明白である。【００１５】  また、図１のスライド機構と図２の旋回機構を組み合わせることもできる。【００１６】  図３は請求項２に記載の本発明の実施形態を示す構成図であって、１１、１２、‥‥、１ｎは太陽電池パネル、３はダイオードを用いた逆流防止手段、４は負荷である。各太陽電池パネルはそれぞれのダイオードを介して負荷に電力を供給する。この構成によれば、いずれか１つの太陽電池パネルが発電していれば、負荷に電力を供給することができる。又、発電していない太陽電池パネルが他の発電している太陽電池パネルの負荷となることもない。
【発明の効果】
【００１７】  以上述べたように、本発明によれば小型で利便性がよく、しかも発電能力に優れた太陽電池装置を実現できる。従って、本発明は携帯用電源装置にとって極めて有用である。
【図面の簡単な説明】
【図１】本発明の第１の実施形態を示す構成図
【図２】本発明の第２の実施形態を示す構成図
【図３】本発明の第３の実施形態を示す構成図
【図４】従来の観音開き式太陽電池装置の構成図
【符号の説明】
１１、１２、・・・・、１ｎ    太陽電池パネル
２                            筐体
３                            逆流防止手段
４                            負荷
【図１】
2007019444.tif 000003
【図２】
2007019444.tif 000004
【図３】
2007019444.tif 000005
【図４】
2007019444.tif 000006
(57)【要約】【課題】長期にわたり引きこもり，不登校で悩んでいる，今後に不安を感じている方，いろいろな相談窓口に行ったが，うまく行かない方，友達とうまくやっていけない，やる気を持たせたい方。【解決手段】フレンディチャー・システム採用，専門スタッフが直接，ご自宅へ定期訪問するシステムをとっています。フレンド＝友人，ティーチャー＝先生の両方の役目ができる経験豊富な男性，女性専門スタッフがご家族と同じ気持ちで，当事者の状態に応じて対応します。そして信頼を得た後に，自信，やる気を取り戻していただけるよう，責任を持って全力バックアップさせていただきます。このシステムはクラブ独自のもので6年間のボランティア活動に基づいたものです。家族や先生に言えないことを相談できる人がいることで，本来の良いところを伸ばし活力とやる気を育てます。【選択図】  図１
2007058355.tif 000002
【特許請求の範囲】
【請求項１】
親の無料相談会を初めとして、より良い支援活動を行く為に、ＩＴを利用して触れ合い段階から社会復帰支援段階まで、引きこもり／不登校の新しい支援サポートである。
【発明の詳細な説明】
【技術分野】
【０００１】
カウンセリング能力（face to face，mail利用），アプリケーション指導，さらにHP作成技術の専門家育成システム。
【背景技術】
【０００２】
全国13万人と言われる不登校，41万人と言われる引きこもり，日本社会の「問題」として取り上げられている今，私共は，「問題」としてではなく，これからの「生き方」をご本人，ご家族と一緒に考え，支援サポートさせていただきます。
【発明の開示】
【発明が解決しようとする課題】
【０００３】
親だけの力に限界を感じ，このままで時間だけが過ぎていく。家以外でも過ごさせたい，人との接点を持たせたい。学校は卒業したが引きこもり状態が長く，アルバイトすらできないなど。
【課題を解決するための手段】
【０００４】
大きく分けて，二つの段階があります。触れ合い段階と社会復帰支援段階であること。まず，コミュニケーションを確立すること，本人の心を開き，本人の思いや悩みを聞き，専門スタッフと友達関係を構築すること。次に，ITと触れあい，本人の興味を集中して，パソコンの基礎知識を身に付け，ワード，エクセルなどの習得すること。ここまでは触れ合い段階である。
これからの段階はアリオンクラブ独自の部分，この部分は付加価値があるということである。ここは，まず目標を設定して，ITでの実践に入ります。専門スタッフと本人が一緒にスケジュールを作り，その通りに一歩一歩やり続け，例えば，ブログやHPの作成に挑戦する，これは本人にとって，自信をつけるのが重要な段階である。そのあと，身に付けた知識を生かして，社会復帰，学校復帰への道である。
さらに，ご家族へ定期的に支援報告と状況・方向性の確認をします。
【発明の効果】
【０００５】
引きこもり状態から脱出，家族への挨拶，一緒に食事，団楽などの行動。一方，不登校者は学校を休まず，楽しく学校に通っています。
【発明を実施するための最良の形態】
【０００６】
専用スタッフと引きこもり／不登校の人が友達になって，親しい友達関係を持ちながら，ITと触れ合い，ティチャーとして，ITの専門知識を少しずつ教えてあげる。
【実施例１】
【０００７】
【図面の簡単な説明】
【０００８】
【図１】フレンディチャー・システムのイメージ
【図１】
2007058355.tif 000003
(57)【要約】【課題】  報告書控えを紙片管理することなく、提出済み証明となる報告書控え部を画像で取込み、報告書を一括管理する報告書管理システムを提供する。【解決手段】  報告書管理装置１のデータ制御部５にてデータ記憶装置３に記憶した報告書に２次元コードを付加する。携帯電話２の通信部１０により、報告書管理装置１の２次元コードを付加した報告書情報を電話回線を用いて取得する。携帯電話２の印刷部７により、その報告書を印刷する。その報告書に顧客の捺印を実施した後、携帯電話２の画像処理部８を用いて報告書の２次元コードと捺印部を取得する。携帯電話２の通信部１０を用いて取得した報告書情報を報告書管理装置１へ送信する。【選択図】図１
2007058305.tif 000002
【特許請求の範囲】
【請求項１】
報告書の原紙情報を記憶する報告書管理装置と、この報告書管理装置の報告書情報を通信で取得し、報告書情報を印刷する携帯電話からなる報告書管理システムにおいて、前記報告書管理装置に、報告書に２次元コードを付加するデータ制御部と、報告書の２次元コードと捺印欄を記憶するデータ記憶部と、前記携帯電話に、報告書を映像で取得する映像処理部と、その映像で取得した情報を記憶するデータ記憶部と、記憶した情報を報告書管理装置へ送信する通信部を有することを特徴とする報告書管理システム。
【発明の詳細な説明】
【技術分野】
【０００１】
本発明は、提出用報告書と、顧客に提出した報告書の控えを管理する報告書管理システムに関する。
【背景技術】
【０００２】
従来におけるこの種の報告書管理システムとしては、作業者が携帯端末で作成した報告書を顧客宛に送付するものが提案されていた（特許文献１参照。）。
【特許文献１】特開２００１−１２２８８９号公報
【発明の開示】
【発明が解決しようとする課題】
【０００３】
しかし、作業報告書は顧客に提出し捺印してもらうことにより顧客の検収の証明となるため、その提出済み報告書は、文書として紙片管理することが一般的である。
【０００４】
また、顧客側で電子Ｆｉｌｅを授受できるインフラを持たないケースも多いことも紙片管理される一つの要因でもあった。
【０００５】
従って、前記特許文献１に記載の従来技術は、現状、紙片管理を行っている作業報告書管理システムからの大幅の変更を強いることから、その適用は難しいという問題があった。
【０００６】
本発明は、上記不都合を鑑みてなされたもので、その目的は、顧客側には影響を与えずに、紙片管理を最小限として、提出済み証明の控え管理を行う報告書管理システムを提供することにある。
【課題を解決するための手段】
【０００７】
上記目的を達成するため、請求項１の構成では、報告書の原紙情報を記憶する報告書管理装置と、この報告書管理装置の報告書データを通信で取得し、報告書情報を印刷する携帯電話からなる報告書管理システムにおいて、前記報告書管理装置に、報告書に２次元コードを付加するデータ制御部と、報告書の２次元コードと捺印欄を記憶するデータ記憶部と、前記携帯電話に、報告書を映像で取得する映像処理部と、その映像で取得した情報を記憶するデータ記憶部と、記憶した情報を報告書管理装置へ送信する通信部を有することを特徴とする報告書管理システムである。
【０００８】
本研究によれば、顧客が捺印した報告書の２次元コード部と捺印部を、現地で映像として取り込むことにより、捺印部が提出済みであること、２次元コード部がその原本の内容を証明する情報となり得る。
【発明の効果】
【０００９】
本発明によれば、１部の報告書を用いて、報告書控えを紙片にすることなく、一括管理することができる。
【発明を実施するための最良の形態】
【００１０】
以下、本発明の実施の形態を図に基づいて説明する。
【００１１】
図１は本発明で実施形態に関わる報告書管理システムのシステム構成図である。本システムは、報告書の原紙情報と控え情報を記憶する報告書管理装置１と報告書を印刷・取込する携帯電話装置２からなる。報告書管理装置１は報告書の原紙情報を記憶するデータ記憶装置３と、報告書の控え情報を記憶するデータ記憶装置４と、データ記憶装置３の報告書情報に２次元コードを付加するデータ制御部５と、携帯電話２へ報告書情報を送信する通信部６を持つ。携帯電話２は報告書情報を印刷する印刷部７と、報告書情報の画像情報を取得する映像処理部８と、報告書情報を記憶するデータ記憶部９と、報告書管理装置１と報告書情報を通信する通信部１０からなる。報告書管理装置１と携帯電話２とは電話回線により接続し、通信部６と通信部１０とを用いて報告書情報を送受信する。映像処理部８は印刷部７で印刷した報告書の２次元コード部と顧客捺印部を画像取得する。
【００１２】
図２は、報告書管理における作業フロー図である。ステップ１で報告者は携帯電話を用いて電話回線から報告書管理装置の報告書を取得する。ステップ２で携帯電話を用いて取得した報告書を印刷する。ステップ３で印刷した報告書を顧客に提出する。ステップ４で提出した報告書に捺印を顧客から頂く。ステップ５で報告書に捺印があれば、報告書の２次元コード部と捺印部を携帯電話を用いて画像として取り込む（ステップ６）。捺印がなければ、報告書に捺印依頼をする（ステップ４）。ステップ７で報告者は携帯電話を用いて取得した報告書控え情報を報告書管理装置へ送信する。
【００１３】
図３は、報告書情報の例である。報告書原紙を顧客に提出する。その報告書原紙に捺印を頂く。捺印済み報告書の捺印部と２次元コードを携帯電話を用いて画像として取り込む。取り込んだ画像情報を報告書の控えとして、一括管理する。
【図面の簡単な説明】
【００１４】
【図１】本発明で実施形態に関わる報告書管理システムのシステム構成図である。
【図２】本発明で実施形態に関わる報告管理における作業フロー図である。
【図３】本発明で実施形態に関わる報告書情報図である。
【符号の説明】
【００１５】
１    報告書管理装置
２    携帯電話
３    データ記憶装置
４    データ記憶装置
５    データ制御部
６    通信部
７    印刷部
８    映像処理部
９    データ記憶部
１０  通信部
【図１】
2007058305.tif 000003
【図２】
2007058305.tif 000004
【図３】
2007058305.tif 000005
(57)【要約】      （修正有）【課題】従来の引き算器は回路が複雑であった。【解決手段】２進数の引き算の方法に従って論理回路をつくればＮＯＴゲートと加算器で高速の引き算ができる。【選択図】図１
2007058841.tif 000002
【特許請求の範囲】
【請求項１】
２進数の引き算の方法
【請求項２】
足し算器とＮＯＴゲートを使った引き算器の論理回路
【発明の詳細な説明】
【技術分野】
【０００１】２進数の引き算の方法とその論理回路
【背景技術】
【０００２】２進数の引き算において足し算のように簡易にはすることができなかった
【発明の開示】
【発明が解決しようとする課題】
【０００３】２進数の引き算の法則を解きその法則を論理回路で実現する。
【課題を解決するための手段】
【０００４】被減数をＮＯＴ処理し減数と加算する。【０００５】その加算結果をＮＯＴ処理し引き算の結果とする。
【発明の効果】
【０００６】加算器とＮＯＴゲートのみで構成されているので簡易で高速な引き算の演算ができる
【発明を実施するための最良の形態】
【０００７】被減数はＮＯＴゲートを経て加算器に接続されている。【０００８】減数は加算器に接続されている。【０００９】加算器の演算結果をＮＯＴゲートにて処理する。【００１０】ＮＯＴゲートの出力には被減数から減数を引いた解が得られる。
【図面の簡単な説明】
【００１１】
【図１】は加算器とＮＯＴゲートを用いた引き算器の論理回路である。
【符号の説明】
【００１３】１  被減数入力２  減数入力３  引き算演算出力４  加算器
【図１】
2007058841.tif 000003
(57)【要約】【課題】携帯端末（１）の液晶画面（３）に、光学式マウス（４）をかざすだけで、携帯端末（１）から、コンピュータ（２）にデータが転送できるようにする。【解決手段】データを液晶画面（３）に表示する格子パターン（５）のスクロール方向に変換し、光学式マウス（４）で格子パターン（５）の動きを検出し、動きの方向の変化をデータに復号する光学式マウスを用いたデータ転送方式。【選択図】図１
2007058827.tif 000002
【特許請求の範囲】
【請求項１】
データを送信するコンピュータのモニタにデータを受信するコンピュータの光学式マウスを重ね、送信データをモニタに表示した格子パターンのスクロール方向の変化に変換し、光学式マウスがトレースした動きを受信データに復号して受信するコンピュータに渡す光学式マウスを用いたデータ転送方式。
【発明の詳細な説明】
【技術分野】
【０００１】  この発明は、一つのコンピュータから、他のコンピュータにデータを転送する光学式マウスを用いたデータ転送方式に関する。
【背景技術】
【０００２】  携帯電話などに表示されている個人名、住所などのデータを、他のコンピュータに転送し利用する方法は、メモリなどの記憶装置を介在させるもの、ケーブルを接続するもの、赤外線ポートを使うものなど、専用の機器が必要であり、標準のコンピュータ構成では実現できなかった。
【発明の開示】
【発明が解決しようとする課題】
【０００３】  本発明は、入力手段として標準のコンピュータ構成である光学式マウス、出力手段としてモニタを使うものである。
携帯端末（１）の液晶画面（３）に、光学式マウス（４）をかざすだけで、携帯端末（１）から、コンピュータ（２）にデータが転送できるようにし、特別な機器を使わないでデータを転送することを課題とする。
【課題を解決するための手段】
【０００４】  以上の課題を解決するために、データを送る側を携帯端末（１）とし、液晶画面（３）に格子パターン（５）を表示する。
送信するデータはビット単位に走査し、図３のプログラムによって逐次格子パターン（５）のスクロール方向に変換される。
ここで、格子パターン（５）の格子の幅は２ピクセル以上とし、スクロール単位を１ピクセルとする。
液晶画面（３）に重ねられている光学式マウス（４）は、格子パターン（５）のスクロールを、たとえば液晶画面（３）に対して右方向にスクロールさせると、マウスが固定されていてマウスパッドが右方向に移動するのと同じであるので、左方向のカーソルの移動としてコンピュータ（２）に通知されるのである。
同様に、左方向のスクロールは右方向のカーソルの移動、上方向のスクロールは下方向のカーソルの移動、下方向のスクロールは上方向のカーソルの移動としてコンピュータ（２）に通知される。
光学式マウス（４）の進行方向の変化は、図４のプログラムによってビット単位のデータに変換される。
スクロール方向を進行方向に対して９０度、２７０度の２方向に、ビットの０、ビットの１の意味をもたせて変換するのであるが、もう一つ１８０度の方向変化に、データの始まりと、データの終わりの意味をもたせることによって、どこからどこまでを変換すればよいかをコンピュータ（２）が知ることができ、一つのまとまったデータをコンピュータ（２）が受け取ることができるのである。【０００５】  本発明は、このような構成であるから、これを使用するときは、携帯端末（１）で転送したいデータを用意した上で専用の送信プログラムを起動し、コンピュータ（２）で専用の受信プログラムを起動した上で、光学式マウス（４）を液晶画面（３）に重ねればよいのである。
【発明の効果】
【０００６】  標準のコンピュータ構成のほかに特別な機器を必要としないので、手軽にデータの転送が行える。
【発明を実施するための最良の形態】
【０００７】  光学式マウス（４）のファームウェアを液晶画面（３）に表示する格子パターン（５）のスクロールを正確にトレースできるように改良する。
携帯端末（１）、および、コンピュータ（２）で使う専用の転送プログラムは、インターネットでインストールできるようにしておく。
【図面の簡単な説明】
【０００８】
【図１】    この発明の使用形態を示す模式図である。
【図２】    格子パターンを示す図である。
【図３】    データを格子パターンのスクロールに変換するフローチャートである。
【図４】    マウスの移動方向からデータを生成するフローチャートである。
【符号の説明】
【００１０】    １  携帯端末                      ２  コンピュータ
３  液晶画面                      ４  光学式マウス
５  格子パターン
【図１】
2007058827.tif 000003
【図２】
2007058827.tif 000004
【図３】
2007058827.tif 000005
【図４】
2007058827.tif 000006
(57)【要約】【課題】下敷きサイズのプラスチック板にアルファベット文字、中央線、基線を切り抜き、それに筆順を付加し、幼児や小学低学年でも容易にアルファベットの文字と字形を、いかなる白紙にでも練習できる方法を提供する。【解決手段】下敷きサイズのプラスチック板にアルファベット文字、中央線、基線を切り抜き、それに筆順を付加し、学習者は白紙を使用しその筆順に従い文字、字形を練習し、更に中央線、基線で継続練習することを特徴とするアルファベット習得文具。【選択図】図１
2007058145.tif 000002
【特許請求の範囲】
【請求項１】
下敷きサイズのプラスチック板にアルファベット文字、中央線、基線を切り抜き、それに筆順を付加し、英習罫ノ−ト使用せず、どの白紙にも練習できるアルファベット習得文具。
【発明の詳細な説明】
【技術分野】
【０００１】本発明は、下敷きサイズのプラスチック板にアルファベット文字、中央線、基線を切り抜き、それに筆順を付加し英習罫ノ−トを使用することなく  幼児や、小学低学年生でも容易にアルファベット文字と字形を習得できる方法に関するものである。
【背景技術】
【０００２】従来アルファベットの学習は英習罫ノ−トにＡＢＣの書法が大文字、小文字、活字体及び筆記体で記載され、その下に文字を写して習得する方法があった。
【発明の開示】
【発明が解決しようとする課題】
【０００３】そのために、次のような問題点があった。
（イ）英習罫ノ−ト使用のみが主体であった。  （ロ）必ずしも見本の通りに字形がならない。  （ハ）特に小文字に時間を要した。
本発明は以上の問題を解決しようとするものである。
【課題を解決するための手段】
【０００４】下敷きサイズのプラスチック板にアルファベット文字、中央線、基線を切り抜き、それに筆順を付加する。  学習者は英習罫ノ−トでなく、いかなる白紙上でも切り抜き文字で練習し、更に中央線、基線を参考に下段に文字練習を継続する。  以上を特徴とするアルファベット習得文具である。
【発明の効果】
【０００５】文字が切り抜いてあり、筆順もあるため幼年者でも見本にとらわれることなく容易に習得できる。  中央線、基線の切り抜きがあり、下段にスペースがあり練習でき、英習罫ノ−トでなく、どの白紙にでも使用できる。【０００６】以下、本発明の実施の形態を説明する。
（イ）下敷きサイズのプラスチック板にアルファベット文字、中央線、基線を切り抜く。
（ロ）その後、切り抜いた字形に筆順を付ける。
本発明は以上の構成よりなっている。
【図面の簡単な説明】
【０００７】
【図１】  本発明の正面図
【図２】  本発明の斜視図
【符号の説明】
【０００８】    １  切り抜き文字
２  筆順
３  中央線
４  切り抜き中央線
５  基線
６  切り抜き基線
【図１】
2007058145.tif 000003
【図２】
2007058145.tif 000004
(57)【要約】【課題】横長の画像を携帯電話機の画面に表示する場合の、画像全体のイメージが容易に把握できる容易な画像表示方法を提供する。【解決手段】インターネット上のサーバーから送られる画像を携帯電話機１の縦長の液晶画面４に表示する。横長の画像を表示する場合、その画像を９０度回転させて液晶画面４に表示する。その際、画像は液晶画面４の横方向に収まる大きさにしてある。画面表示を縦方向にスクロールさせて画像はみ出し部分を表示する。携帯電話機１を横に倒して液晶画面４を見る。【選択図】図２
2007274738.tif 000002
【特許請求の範囲】
【請求項１】
インターネット上のサーバーから送られてくる画像を携帯電話機の縦長の画面に表示する方法であって、横長の画像表示に際し、該画像を９０度回転させて画面に表示し、画面表示をスクロールさせて画像はみ出し部分を表示することを特徴とする画像表示方法。
【請求項２】
画像を画面の横方向に収まる大きさにし、画面表示を縦方向にスクロールさせて画像はみ出し部分を表示することを特徴とする請求項１に記載の画像表示方法。
【請求項３】
縦方向のスクロールによって表示される画像に奥行きを持たせることを特徴とする請求項２に記載の画像表示方法。
【発明の詳細な説明】
【技術分野】
【０００１】
本発明は、インターネット上のサーバーから送られてくる画像を携帯電話機の縦長の画面に表示させる方法に関し、特に、横長の画像表示に適した画像表示方法に関する。
【背景技術】
【０００２】
近年、携帯電話機の普及が進み、携帯電話機からインターネットに接続する人が増えている。それにともなって、インターネット上のウェブサイトから画像コンテンツを取得するのに適した携帯電話機が提案されている（特許文献１参照）。携帯電話機の画面は縦長であるため、画面から画像がはみ出す場合、画面表示をスクロールさせてはみ出し部分を表示している。
【特許文献１】特開２００４−１２８９０８号公報
【発明の開示】
【発明が解決しようとする課題】
【０００３】
しかし、横長の画像を携帯電話機の縦長の画面に表示する場合、画像が画面から横方向に大きくはみ出すため、画面表示の横方向スクロール量が大きくなるため、画像全体のイメージを把握するのが困難になる。
【０００４】
本発明は、このような事情に鑑み、横長の画像を携帯電話機の画面に表示する場合の、画像全体のイメージが容易に把握できる画像表示方法を提供することを目的とする。
【課題を解決するための手段】
【０００５】
上記課題を解決するための本発明は、インターネット上のサーバーから送られてくる画像を携帯電話機の縦長の画面に表示する方法であって、横長の画像表示に際し、該画像を９０度回転させて画面に表示し、画面表示をスクロールさせて画像はみ出し部分を表示することを特徴とする。
【０００６】
画像を画面の横方向に収まる大きさにし、画面表示を縦方向にスクロールさせて画像はみ出し部分を表示するのが好ましい。
【０００７】
縦方向のスクロールによって表示される画像に奥行きを持たせるのが好ましい。
【発明の効果】
【０００８】
本発明によれば、横長の画像が９０度回転して携帯電話機の画面に表示されるので、携帯電話機を横に倒して画面を見ると、元の横長画像として見える。つまり、視野が広がり、その分だけ画面表示のスクロール量が少なくて済み、画像イメージの把握が容易になる。
【発明を実施するための最良の形態】
【０００９】
以下、本発明の実施形態を添付図面に基づいて詳細に説明する。
図１は本発明の画像表示方法の実施に用いる携帯電話機を示している。
【００１０】
この携帯電話機１は上部筐体２と下部筐体３をヒンジ結合した折り畳み式のもので、上部筐体２には縦長の液晶画面４を設けてある。下部筐体３には、画面表示をスクロールさせるスイッチ５と、各種プッシュボタン６を設けてある。また、携帯電話機１はインターネットに接続し、ウェブサイトから画像コンテンツを取得して液晶画面４に表示させることができる。
【００１１】
ところで、この携帯電話機１は、横長の画像の表示に際し、その画像を９０度回転させて液晶画面４に表示する。図２はその一例を示す図で、インターネット上でショピングモールを運営するサイトから送られてくる画像を示している。すなわち、このサイトは、複数の店舗７の並んだ画像を９０度回転させて携帯電話機１に送る。このとき、携帯電話機１の液晶画面４には同図一点鎖線の長方形枠Ａ内の画像が表示される。なお、この画像は液晶画面４の横方向に収まる大きさにしてある。そして、液晶画面４から縦方向にはみ出す部分を表示する場合、スイッチ６で画面表示を縦方向にスクロールさせればよい。
【００１２】
ここで、携帯電話機１を横にして液晶画面４を見ると、元の横長の画像として見えるので、視野が広がり、その分だけ画面表示のスクロール量が少なくて済み、画像イメージの把握が容易になる。つまり、携帯電話機１の液晶画面４はパソコンの画面のように縦横が決まったものではないので、携帯電話機１を横に倒し、液晶画面４を横長の画面として見れば、横長の画像に対する視野が広がるわけである。
【００１３】
さらに、横スクロールによって表示される画像に奥行きを付けると、つまり、図２に示すような斜視的な店舗７Ａを設けると、立体的で現実に近い感じが現せるようになる。また、図２に示す矢印８をクリックすると、図３に示すように別のショッピングモールが液晶画面４に表示されるようにしてもよい。なお、表示されている店舗名をクリックすると、その店舗のサイトにジャンプするようにしてある。
【００１４】
今後、携帯電話のホームページにおいてもフラッシュ形式の動画が主流になってくるので、本発明の画像表示方法の有効性が増してくると思われる。
【図面の簡単な説明】
【００１５】
【図１】本発明の画像表示方法の実施に用いる携帯電話機を示す図である。
【図２】携帯電話機の画面表示を示す図である。
【図３】携帯電話機の画面表示を示す図である。
【符号の説明】
【００１６】
１      携帯電話機
２      上部筐体
３      下部筐体
４      液晶画面
５      スイッチ
６      プッシュボタン
７      店舗
【図１】
2007274738.tif 000003
【図２】
2007274738.tif 000004
【図３】
2007274738.tif 000005
(57)【要約】【課題】ゴキブリの駆除効率を向上させるため、暗く、狭隘で且つ紙・木質系の場所を棲家として好むゴキブリの習性を利用した、巣としての機能を向上させた空隙構造体を備えたゴキブリ駆除装置を提供する。【解決手段】ゴキブリは、暗く、狭隘で且つ紙・木質系の場所を巣として好むという習性があるので、紙・木質系の素材を使い、ゴキブリの体型寸法以上の大きさを備えたハニカム構造又は丸形、三角形、四角形その他多角形の形状をした多孔形状を持つ、ゴキブリの巣としての機能を向上させた駆除装置を考案した。【選択図】図１
2007274939.tif 000002
【特許請求の範囲】
【請求項１】
本発明は、毒餌を使用するゴキブリ駆除装置の駆除効率を向上させるために、駆除装置の内部構造が、ゴキブリの巣としての機能を向上させるため、ハニカム構造又は丸形、三角形、四角形その他多角形の形状をした多孔形状の空隙構造体を備えていることを特徴とするゴキブリ駆除装置である。
【請求項２】
請求項１のゴキブリ駆除装置のゴキブリの棲家となる多孔形状の空隙構造体の孔の寸法は、その孔の内径又はその孔に内接する内接円の径が、ゴキブリの体幅と同等以上であり、且つ、その多孔形状の空隙構造体の孔の奥行きがゴキブリの体長と同等以上の長さを持ち、且つ、その空隙構造体の孔の向きが装置の底面に対し垂直又は水平あるいは傾斜させて取り付けられていることを特徴とするゴキブリ駆除装置である。
【発明の詳細な説明】
【技術分野】
【０００１】
本発明は、暗く、狭隘で且つ紙・木質系の場所を棲家として好むゴキブリの習性を利用した、巣として機能するハニカム構造又は丸形、三角形、四角形その他多角形の形状をした多孔形状の空隙構造を有するゴキブリ駆除装置に関するものである。
【背景技術】
【０００２】
従来のゴキブリ駆除装置には、合成樹脂等で出来た、巣としての空間を有するものはある（例えば、特許文献１、２参照）が、ゴキブリの好む紙・木質系の素材を使った内部構造がハニカム構造又は丸形、三角形、四角形その他多角形の形状をした多孔形状の空隙構造体を持つゴキブリの巣としての機能を有する駆除装置は無い。
【特許文献１】特開２０００−３１６４５０号公報
【特許文献２】特開２００３−２７４８３４号公報
【発明の開示】
【発明が解決しようとする課題】
【０００３】
解決しようとする問題点は、従来の多くのゴキブリ駆除装置は、餌（毒餌）を小さなケースにいれておくだけの人畜に対する安全容器としての機能、あるいは巣としての空間は有するが前述の安全容器に類する程度の機能しか有しないので、夜間餌を求めて徘徊してきたゴキブリは、餌を喫食した後は元の巣に帰り、昼間は巣に篭っているため夜間しか餌を喫食する機会が無い、よって殺虫速度、殺虫数量等において駆除効率が悪いという欠点があった。
【課題を解決するための手段】
【０００４】
本発明は、ゴキブリの駆除効率を向上させるため、暗く、狭隘で且つ紙・木質系の場所を棲家として好むゴキブリの習性を利用し、駆除装置内部に紙・木質系の素材を使った巣としての機能を向上させる空隙構造を持ち、ここに住み着いたゴキブリが２４時間いつでも餌（毒餌）を喫食できる環境を持たせたことを最も主要な特徴とする。
【発明の効果】
【０００５】
本発明のゴキブリ駆除装置は、餌を求めて徘徊してきたゴキブリを、当該駆除装置に仕掛けてある餌（毒餌）で誘引し、ゴキブリが餌を喫食した後も元の巣に戻らせないで、当該駆除装置内にある空隙構造体を新たな巣として住み着かせ、ここで２４時間いつでも自由に餌（毒餌）を喫食させて、ゴキブリの殺虫速度、殺虫数量等の駆除効率の大幅な向上をはかることが出来る。
【０００６】
本発明品は、適時に新しい餌（毒餌）を入れ替えられる構造になっており、この点でも駆除効率の向上を図れるという利点がある。
【発明を実施するための最良の形態】
【０００７】
本発明品は、紙・木質系の素材を使った、ゴキブリの巣となるハニカム構造又は丸形、三角形、四角形その他多角形の形状をした多孔形状を持った空隙構造体とそれを収納するケースと餌（毒餌）を入れる餌受けの３つの部分で構成される。
【実施例】
【０００８】
図１は、本発明装置の１実施例の説明図であって、図２は構成部品の実施例の説明図で、３は餌（毒餌）受けの説明図である。
【０００９】
ケース内部の上部に、ゴキブリの巣となる紙・木質系の素材を使ったハニカム構造又は丸形、三角形、四角形その他の形状をした多孔形状を持った空隙構造体を取り付け、又ケースの側面からもゴキブリが出入りできる穴を設け、ケース内部の底部には餌受けを設置する。
【産業上の利用可能性】
【００１０】
本発明品の、巣としての機能を有する空隙構造体は、当然ゴキブリにとっては防寒と護身を得るものであり、ゴキブリが安心して巣として住み着くには十分な機能を有しており、この装置に毒餌を仕掛ければ従来にない十分なる駆除効率を上げることが可能であり、且ついずれの店舗等にても容易に使用可能である。
【図面の簡単な説明】
【００１１】
【図１】ゴキブリ駆除装置の１実施方法を示した説明図である。
【図２】ゴキブリ駆除装置の内部構成部品の１実施方法を示した説明図である。
【符号の説明】
【００１２】
１    ケース
２    巣となるハニカム構造又は丸形、三角形、四角形その他多角形の形状をした多孔形状の空隙構造体
３    餌（毒餌）受け皿
４    側面出入口
【図１】
2007274939.tif 000003
【図２】
2007274939.tif 000004
(57)【要約】【課題】ペットボトル粉末茶飲料、粉末茶が健康志向、簡便さから老若男女を問わず利用度が増加の一途を辿っている。しかしながら、機能性の観点から吸収力を増すために微粉末にする程、湯、または水で希釈した時、ダマになり見た目にも品位を落としている。そこで微粉末茶に分散性を持たせ容易に分散し飲用することができる粉末細粒茶を提供すること。【解決手段】造粒工程において容器の中で微粉末茶を均一に対流させ酵素を希釈した水を噴霧しそれを乾燥し微粉末細粒茶をつくる製造方法。【選択図】なし【特許請求の範囲】
【請求項１】
造粒工程で容器の中で微粉末茶を均一に対流させる第一工程と、酵素を希釈した水を噴霧する第二工程と、それを乾燥し細粒にする第三工程とにより製造することを特徴とした微粉末細粒茶の製造方法。
【発明の詳細な説明】
【技術分野】
【０００１】
本発明は、湯、または水を注ぐだけで微粉末茶の機能性と吸収力を損なわず,素早く分散させるため品位を落とすダマにならず見た目にもいい粉末細粒茶の製造方法に関する。
【背景技術】
【０００２】
ペットボトル粉末茶飲料、粉末茶の飲用が増加するなか湯、または水で溶かしたときダマができ溶けにくいため粉末の粒子を粗くし対応してきた。
【発明の開示】
【発明が解決しようとする課題】
【０００３】
本発明は、お茶の持つ機能性とダマをなくし見た目をよく改良し、しかも容易に分散し飲用することができる微粉末細粒茶を提供しようとするものである。
【課題を解決するための手段】
【０００４】
本発明の微粉末細粒茶の製造方法は、造粒工程で容器の中で微粉末茶を均一に対流させる第一工程と、酵素を希釈した水を噴霧する第二工程と、それを乾燥し細粒にする第三工程とにより製造しようとするものである。
【０００５】
均一に対流させた微粉末茶に、酵素を希釈した水を噴霧する事により酵素の浸透力により微粉末茶が急激に水分を吸収すると共に酵素も同時に吸収される。
【０００６】
上記の微粉末茶に吸収された酵素は、吸水性、分散性が高く飲用時に湯、または水を注ぐことで素早く微粉末茶内に水分を吸収し、微粉末茶を分散させるためダマができない。またこの酵素は、茶の成分である緑色の成分、香りの成分、旨みの成分等の抽出をすばやく促進し、また酵素の抗酸化作用により緑色の変色も抑制される。
【発明の効果】
【０００７】
本発明によれば、微粉末茶に湯、または水を注ぐと微粉末の持つ撥水性により一部がダマになり、飲みにくく、見た目もわるい。そこで、微粉末茶に酵素の持つ浸透性、吸水性、分散性、抗酸化力を作用させる事により、微粉末茶に湯、または水を注いでも素早く分散しダマにならず、また茶の成分である緑色の成分、香りの成分、旨みの成分等の抽出をすばやく促進し、また酵素の抗酸化作用により緑色の変色も抑制され、尚且つ機能性も向上する。しかもこの微粉末細粒茶はお茶の入れ方や後始末の煩わしさがないので、あらゆる場面で利用でき、お茶の消費を拡大する事ができる。
【実施例】
【０００８】
以下本発明のー実施例を詳細に説明する。
粉体の造粒工程において、容器内に均一に対流させた微粉末１ｋｇに対し、酵素の２０〜３０％水溶液、概５００ｃｃを加圧した噴霧ノズルにて均一に噴霧し、素早く茶の成分が変質する７０℃以下の低温で乾燥し微粉末細粒茶を得る。
(57)【要約】【課題】  本発明は、上述の如くの食物繊維２種を、食前に摂取し、食後、高分子炭水化物を摂取する事により、肥満の予防や改善を難なく可能とし提供することを目的としている。【解決手段】  本発明は、食前に水分を含むと瞬時に膨潤するサイリウムシードガムにより食事の過剰摂取を抑制する事と、また、強い粘性を有するグルコマンナンにより体内に蓄積したコレステロールを吸着そして排出し体内に蓄積したコレステロールを軽減すると共に、食後、高分子炭水化物により、胃の中で蛋白質消化酵素ペプシンの食物中の蛋白質の消化を遅延し永きに渡り食物を胃に滞留させ、常時胃の満腹感を与える事により、肥満を予防または改善を提供する事にある。【選択図】    なし【特許請求の範囲】
【請求項１】
肥満者に対して、食物線維であり水分を保水すると瞬時にゲル化膨潤するサイリウムシードガムを、食前に摂る事で、胃はサイリウムシードガムにより膨潤し食事の過剰摂取を軽減するダイエット食品。
【請求項２】
肥満者に対して、食物線維であり水分を保水すると強い粘性を有し、人体の消化器官で消化されないグルコマンナンを、食物と同時に摂る事で、胃で食物と混ざり合わさり、小腸に於いて食物の栄養素の消化吸収を抑制し、更に十二指腸で分泌されコレステロールを原料として生成される胆汁酸を上述の如く強い粘性により吸着し、体内に蓄積した肥満の原因であるコレステロールを消費軽減するダイエット食品。
【請求項３】
高分子炭水化物は、胃の蛋白質消化酵素であるペプシンの消化作用を抑制、胃に於いて蛋白質の吸収速度を遅延することで長い時間満腹感を得る事ができ、過剰な食事の摂取量を軽減するダイエット食品。
【発明の詳細な説明】
【技術分野】
【０００１】
本発明は、請求項１そして請求項２の食物繊維摂取により、予め胃を膨潤させ、食事の過剰摂取を抑制することと、体内に蓄積したコレステロールを吸着し排出すること、更には、請求項３の高分子炭水化物で、胃の消化酵素に消化を遅延させ、胃の中の食物を滞留させる事で、肥満の予防や改善を提供する事にある。
【背景技術】
【０００２】
戦後高度経済の成長と共に、欧米文化が取り入れられ、食生活も大きく欧米化に変化し肉食中心の高脂肪食を摂る様になった。更に核家族化や社会環境によるストレス、また運動不足などにより、中高年層や青少年に於いても上述の如くの影響により多くの疾病の原因となる肥満の増加が深刻な問題となっている。
【０００３】
肥満は、がん、糖尿病、高脂血症、高血圧などの生活習慣病の起因となり、厚生労働省が推進する、適度な運動と食事の改善の両面から解消法が是正されている。然しながら、適度な運動を巣ｒｙための充分な余裕ある時間が取れず大半の人間は実践するのは難しい。
【０００４】
そこで、食事の摂取方法の観点から、様々なダイエット食品が提案されている。
（特許文献１〜３）
【０００５】
然し、従来のダイエット食品は、食物線維に於いて胃の満腹感を与え、食事の過剰摂取を抑制するほどの食物線維量の含有は無く、また、糖質や脂質を抑制しカロリーを制限するものとして、その効果は充分とは言えない。
【特許文献１】特開平７−１４７９３５号公報
【特許文献２】特開平１１−３２７２８号公報
【特許文献３】特開２００１−１６９７５３号公報
【発明の開示】
【発明が解決しようとする課題】
【０００６】
本発明の目的は、食前に水分を含むと瞬時に膨潤するサイリウムシードガムにより食事の過剰摂取を抑制する事と、また、強い粘性を有するグルコマンナンにより体内に蓄積したコレステロールを吸着そして排出し体内に蓄積したコレステロールを軽減すると共に、食後、高分子炭水化物により、胃の中で蛋白質消化酵素ペプシンの食物中の蛋白質の消化を遅延し永きに渡り食物を胃に滞留させ、常時胃の満腹感を与える事により、肥満を予防または改善を提供する事にある。
【０００７】
本発明は、食前に摂取する食物線維であるサイリウムシードガム並びに同じ食物線維であるが強い粘性を有したグルコマンナンと、食後に摂取する高分子炭水化物により食事の過剰摂取と、体内に蓄積したコレステロールの軽減、そして食物を胃で長らく滞留させ満腹感を持続させ肥満の予防と改善を提供する事にある。
【課題を解決するための手段】
【０００８】
本発明は、上述の如くの食物繊維２種を、食前に摂取し、食後、高分子炭水化物を摂取する事により、肥満の予防や改善を難なく可能としたことにある。
【発明の効果】
【０００９】
本発明は、食前に水分を含むと瞬時に膨潤するサイリウムシードガムにより食事の過剰摂取を抑制する事と、また、強い粘性を有するグルコマンナンにより体内に蓄積したコレステロールを吸着そして排出し体内に蓄積したコレステロールを軽減すると共に、食後、高分子炭水化物により、胃の中で蛋白質消化酵素ペプシンの食物中の蛋白質の消化を遅延し永きに渡り食物を胃に滞留させ、常時胃の満腹感を与える事により、肥満を予防または改善を提供する事にある。
【発明を実施するための最良の形態】
【００１０】
本発明は、食前、水分を含むと瞬時に膨潤する食物線維であるサイリウムシードガムにより、食事の過剰摂取を抑制し、同じく水分を含むと強い粘性を有するグルコマンナンにより、十二指腸で分泌され、肝臓でコレステロールを原料に生成される胆汁酸を吸着し排出、体内に蓄積したコレステロールを軽減し、食後、高分子炭水化物により、胃の中で蛋白質消化酵素ペプシンの食物中の蛋白質の消化を遅延し永きに渡り食物を胃に滞留させ、常時胃の満腹感を与える事により、肥満を予防または改善を図る。
【実施例】
【００１１】
食前に摂取するサイリウムシードガムとグルコマンナンの２種混合した食物線維と、
食後に摂取する、高分子炭水化物を試食品とし３０名のボランティアに、１日１食に対し各１回づつ食前と食後３時間以上経過した後、摂取させ検証した。
【００１２】
（実施例２）
３０人のボランティアに、３０日間上述の如くの方法により当該食品を摂取させた。
結果、３０人中２８人に体重の減少が観られた。
【００１３】
先ず、食前に摂取した食物線維サイリウムシードガムが、胃で水分により瞬時に膨潤し、後に摂る食事量を軽減し、また、粘性が高い食物線維グルコマンナンが、食物の脂質や糖分そして、肝臓でコレステロールを胆汁酸に生成し、十二指腸で分泌される胆汁酸を吸着し、蓄積したコレステロールを消費軽減し、更には、食後３時間以上明け摂取させた高分子炭水化物により、胃の満腹感を与え、食前食後を通じて常時、胃の満腹感を充足した結果、容易に体重の減量を可能にしたとして推測が出来る。
【産業上の利用可能性】
【００１４】
本発明は、上述の如く無理なく容易で優れたダイエット効果を示す。従って、本発明は、食事の過剰摂取を抑制し、コレステロールを吸着排出、効率的にダイエットを行うための有用な手段と言える。
(57)【要約】      （修正有）【課題】充電器に電源スイッチを一体にしたことによって充電する度にその都度コンセントを差し込んだり引き抜く必要がなくなる。【解決手段】差し込んだり引き抜きをしないのでコンセント自身にガタが生じ接触不良が生じないようにした。コンセントから充電器を引き抜くのを忘れた場合でも常に電気が消費されないようにした。充電器の電源スイッチを入れた場合、連動してランプが点灯するようになっている、常にコンセントに差し込んだ状態で電源スイッチを切った時にランプが消灯するので充電器に電気が流れていないのがわかる。【選択図】図１
2007274875.tif 000002
【特許請求の範囲】
【請求項１】
携帯電話充電器に電源スイッチを付ける
【請求項２】
携帯電話充電の電源スイッチを入れた時に電気が流れている確認の為にランプが点くようにする。
【発明の詳細な説明】
【技術分野】
【０００１】  この発明は携帯電話用充電器に関する。
［従来の技術］【０００２】  従来の物は常に充電する度にその都度コンセントを差し込んだり引き抜く必要がある。【０００３】  従来の物は常に充電終了後その都度コンセントから差し込んだり引き抜いたりを頻繁にする為、コンセント自身にガタが生じ接触不良を起こすことがある。【０００４】  従来の物は充電終了後コンセントから充電器を引き抜くのを忘れた場合は常に電気が消費している。
【発明の開示】
【発明が解決しようとする課題】
【０００５】  この発明はこのような問題点を解決しようとするものであり、充電する度にその都度コンセントを差し込んだり引き抜く必要がなくなる。【０００６】  充電終了後その都度コンセントから差し込んだり引き抜いたりする必要がなくなるのでコンセント自身にガタが生じ接触不良が生じない。
【課題を解決するための手段】
【０００７】  上記目的に沿う本発明の構成は充電器に電源スイッチを一体にしたことを特徴とする。【０００８】  ようするに本発明は充電器に電源スイッチを一体にしたことによって充電する度にその都度コンセントを差し込んだり引き抜く必要がなくなるのを目的とした。【０００９】  上記目的に沿う本発明の構成は充電器に電源スイッチを一体にした事によって充電終了後その都度コンセントから差し込んだり引き抜いたりする必要がなくなるのでコンセント自身にガタが生じ接触不良が生じないことを可能にした。【００１０】  充電器の電源スイッチを入れた場合、連動してランプが点灯するようになっている、常にコンセントに差し込んだ状態で電源スイッチを切った時にランプが消灯するので充電器に電気が流れていないのがわかる。
［発明の実施するための最良の形態］
次に、本発明の実施の形態を図面に基づいて説明する。
【発明の効果】
【００１１】本発明によれば、充電器に電源スイッチを設けた為に充電する度にその都度コンセントを差し込んだり引き抜く必要がなくなったり、コンセントから差し込んだり引き抜いたりしないのでコンセント自身にガタが生じ接触不良が生じないようになったり、充電終了後コンセントから充電器を引き抜くのを忘れた場合でも常に電気が消費しない。
【図面の簡単な説明】
【００１２】
【図１】本発明の斜視図
【図２】本発明の配線図
【符号の説明】
【００１３】  １……・入力用交流１００ボルトのコンセント
２……・携帯電話本体
３……・充電器の１００ボルト用電源スイッチ
４……・電源スイッチ連動ＬＥＤランプ
５……・出力用直流携帯電話本体向けコード
６……・入力用交流１００ボルト
７……・配線基板
８……・電源スイッチ
９……・ＬＥＤランプ
１０……・出力用直流５ボルト
【図１】
2007274875.tif 000003
【図２】
2007274875.tif 000004